(57)【要約】【課題】鉄芯の一部に設けられたギャップへの絶縁性樹脂の充填が容易で低騒音化が可能な電磁装置およびそれを用いた照明器具を提供する。【解決手段】Ｔ型鉄芯１２の脚片１２ａがコイル３を巻回する第１の鉄芯部１ａを構成し、Ｃ型鉄芯１３とＴ型鉄芯１２の脚片１２ａ以外の部分とで第１の鉄芯部１ａおよびコイル３を囲み第１の鉄芯部１ａに磁気的に結合した第２の鉄芯部１ｂを構成する。Ｃ型鉄芯１３は、Ｔ型鉄芯１２の脚片１２ａの先端面との対向面と厚み方向における両面とが開放されていてＴ型鉄芯１２の脚片１２ａの先端部が挿入される凹所１３ｃが設けられており、Ｔ型鉄芯１２の脚片１２ａの先端部との間にギャップ２が形成される。Ｔ型鉄芯１２の脚片１２ａにコイル３を巻回してからＴ型鉄芯１２とＣ型鉄芯１３とを結合した後、ギャップ２へ絶縁性樹脂を充填する。【選択図】      図１
2004273745.tif 000002
【特許請求の範囲】
【請求項１】
コイルが巻回された第１の鉄芯部と、第１の鉄芯部およびコイルを囲み第１の鉄芯部に磁気的に結合した第２の鉄芯部とで鉄芯を構成し、鉄芯の一部にインピーダンスを調整するためのギャップを設け当該ギャップに絶縁性樹脂を充填するようにした電磁装置であって、鉄芯においてコイルが巻回される部分を避けるようにギャップを設けてなることを特徴とする電磁装置。
【請求項２】
前記鉄芯がＣ型鉄芯とＴ型鉄芯とを組み合わせて日字状に形成され、Ｔ型鉄芯の脚片が前記第１の鉄芯部を構成するとともに、Ｃ型鉄芯とＴ型鉄芯の脚片以外の部分とで前記第２の鉄芯部を構成し、Ｃ型鉄芯は、Ｔ型鉄芯の脚片の先端面との対向面と厚み方向における両面とが開放されていてＴ型鉄芯の脚片の先端部が挿入され且つ当該先端部との間に前記ギャップを形成する凹所が設けられてなることを特徴とする請求項１記載の電磁装置。
【請求項３】
前記鉄芯がＥ型鉄芯とＩ型鉄芯とを組み合わせて日字状に形成され、Ｅ型鉄芯の中央片が前記第１の鉄芯部を構成するとともに、Ｅ型鉄芯の中央片以外の部分とＩ型鉄芯とで前記第２の鉄芯部を構成し、Ｉ型鉄芯は、Ｅ型鉄芯の中央片の先端面との対向面と厚み方向における両面とが開放されていてＥ型鉄芯の中央片の先端部が挿入され且つ当該先端部との間に前記ギャップを形成する凹所が設けられてなることを特徴とする請求項１記載の電磁装置。
【請求項４】
前記鉄芯がロ型鉄芯とＩ型鉄芯とを組み合わせて日字状に形成され、Ｉ型鉄芯が前記第１の鉄芯部を構成するとともに、ロ型鉄芯が前記第２の鉄芯部を構成し、ロ型鉄芯は、Ｉ型鉄芯の長手方向の一端面との対向面と厚み方向における両面とが開放されていてＩ型鉄芯の一端部が挿入され且つ当該一端部との間に前記ギャップを形成する凹所が設けられてなることを特徴とする請求項１記載の電磁装置。
【請求項５】
前記鉄芯がＥ型鉄芯とＩ型鉄芯とを組み合わせて日字状に形成され、Ｅ型鉄芯の中央片が前記第１の鉄芯部を構成するとともに、Ｅ型鉄芯の中央片以外の部分とＩ型鉄芯とで前記第２の鉄芯部を構成し、Ｅ型鉄芯の両側片の長さを中央片の長さよりも短くすることでＥ型鉄芯の両側片の各先端面とＩ型鉄芯との間に前記ギャップを設けてなることを特徴とする請求項１記載の電磁装置。
【請求項６】
器具本体に保持されて光源を点灯させる安定器として請求項１ないし請求項５のいずれか１項に記載の電磁装置を備えてなることを特徴とする照明器具。
【発明の詳細な説明】
【０００１】
【発明の属する技術分野】
本発明は、放電灯用の安定器などに用いられる電磁装置およびそれを用いた照明器具に関するものである。
【０００２】
【従来の技術】
従来より、放電灯用の安定器などに用いられる電磁装置として、図１０（ａ）に示すようにＥ型鉄芯１１’とＴ型鉄芯１２’とを組み合わせて日字状の鉄芯１’を構成し、図１０（ｂ）に示すように鉄芯１’の一部にコイル３’を巻回したものが提供されている。ここにおいて、図１０（ｂ）に示す構成の電磁装置は、鉄芯１’の一部にインピーダンスを調整するためのギャップ２’（図１０（ａ）参照）が設けられている。
【０００３】
上述の電磁装置においては、Ｅ型鉄芯１１’の中央片１１ａ’とＴ型鉄芯１２’の脚片１２ａ’とでコイル３’が巻回される第１の鉄芯部１ａを構成し、Ｅ型鉄芯１１’の中央片１１ａ’以外の部分とＴ型鉄芯１２’の脚片１２ａ’以外の部分とで第１の鉄芯部１ａ’およびコイル３’を囲み第１の鉄芯部１ａ’に磁気的に結合した第２の鉄芯部１ｂ’を構成しており、Ｅ型鉄芯１１’とＴ型鉄芯１２’とを結合するとともに漏れ磁束の均一化を図るために第１の鉄芯部１ａ’に上記ギャップ２’が設けられている。すなわち、上述の電磁装置では、Ｅ型鉄芯１１’の中央片１１ａ’の長さを当該Ｅ型鉄芯１１’の両側片１１ｂ’，１１ｂ’の長さ寸法よりも短くしてあり、Ｅ型鉄芯１１’の中央片１１ａ’の先端面とＴ型鉄芯１２’の脚片１２ａ’の先端面との間に上記ギャップ２’が形成されている。したがって、上記ギャップ２’は、鉄芯１’においてコイル３’が巻回される部分に形成されており、コイル３’の内側に位置している。
【０００４】
また、放電灯用の安定器などに用いられる電磁装置としては、中央片と両側片との長さ寸法が同じＥ型鉄芯とＩ型鉄芯とを組み合わせて日字状の鉄芯を構成し、Ｉ型鉄芯におけるＥ型鉄芯との対向面に凹部を設けることによりギャップを形成したものが知られている（例えば、特許文献１参照）
【０００５】
【特許文献１】
特開平１０−１６３０３６号公報（第２頁−第３頁、図１−図３）
【０００６】
【発明が解決しようとする課題】
近年、電化製品の低騒音化が要望されており、上述のような電磁装置においては、磁束の漏れが発生するギャップ近傍での振動を抑制するために鉄芯に設けられたギャップに絶縁性樹脂（例えば、接着剤など）を振動抑制剤として充填することが必要不可欠になってきた。
【０００７】
しかしながら、上述の図１０（ｂ）に示す構成の電磁装置では、鉄芯１’とコイル３’とを組み合わせた状態においてギャップ２’がコイル３’により覆われているので、ギャップ２’へ絶縁性樹脂を注入して充填することが困難であり、インピーダンスが変動してしまう恐れがあった。
【０００８】
また、上記特許文献１に開示された電磁装置においても、Ｉ型鉄芯における凹部はＥ型鉄芯との対向面のみが開放されているので、ギャップへ絶縁性樹脂を注入して充填することが難しかった。
【０００９】
本発明は上記事由に鑑みて為されたものであり、その目的は、鉄芯の一部に設けられたギャップへの絶縁性樹脂の充填が容易で低騒音化が可能な電磁装置およびそれを用いた照明器具を提供することにある。
【００１０】
【課題を解決するための手段】
請求項１の発明は、上記目的を達成するために、コイルが巻回された第１の鉄芯部と、第１の鉄芯部およびコイルを囲み第１の鉄芯部に磁気的に結合した第２の鉄芯部とで鉄芯を構成し、鉄芯の一部にインピーダンスを調整するためのギャップを設け当該ギャップに絶縁性樹脂を充填するようにした電磁装置であって、鉄芯においてコイルが巻回される部分を避けるようにギャップを設けてなることを特徴とする。
【００１１】
請求項２の発明は、請求項１の発明において、前記鉄芯がＣ型鉄芯とＴ型鉄芯とを組み合わせて日字状に形成され、Ｔ型鉄芯の脚片が前記第１の鉄芯部を構成するとともに、Ｃ型鉄芯とＴ型鉄芯の脚片以外の部分とで前記第２の鉄芯部を構成し、Ｃ型鉄芯は、Ｔ型鉄芯の脚片の先端面との対向面と厚み方向における両面とが開放されていてＴ型鉄芯の脚片の先端部が挿入され且つ当該先端部との間に前記ギャップを形成する凹所が設けられてなることを特徴とする。
【００１２】
請求項３の発明は、請求項１の発明において、前記鉄芯がＥ型鉄芯とＩ型鉄芯とを組み合わせて日字状に形成され、Ｅ型鉄芯の中央片が前記第１の鉄芯部を構成するとともに、Ｅ型鉄芯の中央片以外の部分とＩ型鉄芯とで前記第２の鉄芯部を構成し、Ｉ型鉄芯は、Ｅ型鉄芯の中央片の先端面との対向面と厚み方向における両面とが開放されていてＥ型鉄芯の中央片の先端部が挿入され且つ当該先端部との間に前記ギャップを形成する凹所が設けられてなることを特徴とする。
【００１３】
請求項４の発明は、請求項１の発明において、前記鉄芯がロ型鉄芯とＩ型鉄芯とを組み合わせて日字状に形成され、Ｉ型鉄芯が前記第１の鉄芯部を構成するとともに、ロ型鉄芯が前記第２の鉄芯部を構成し、ロ型鉄芯は、Ｉ型鉄芯の長手方向の一端面との対向面と厚み方向における両面とが開放されていてＩ型鉄芯の一端部が挿入され且つ当該一端部との間に前記ギャップを形成する凹所が設けられてなることを特徴とする。
【００１４】
請求項５の発明は、請求項１の発明において、前記鉄芯がＥ型鉄芯とＩ型鉄芯とを組み合わせて日字状に形成され、Ｅ型鉄芯の中央片が前記第１の鉄芯部を構成するとともに、Ｅ型鉄芯の中央片以外の部分とＩ型鉄芯とで前記第２の鉄芯部を構成し、Ｅ型鉄芯の両側片の長さを中央片の長さよりも短くすることでＥ型鉄芯の両側片の各先端面とＩ型鉄芯との間に前記ギャップを設けてなることを特徴とする。
【００１５】
請求項６の発明は、器具本体に保持されて光源を点灯させる安定器として請求項１ないし請求項５のいずれか１項に記載の電磁装置を備えてなることを特徴とする。
【００１６】
【発明の実施の形態】
（実施形態１）
本実施形態の電磁装置は、図１（ａ）に示すようにＣ型鉄芯１３とＴ型鉄芯１２とを組み合わせて日字状の鉄芯１を構成し、図１（ｂ）に示すように鉄芯１の一部にコイル３を巻回してある。ここにおいて、鉄芯１の一部には電磁装置自体のインピーダンスを調整するためのギャップ２（図１（ａ）参照）が設けられている。
【００１７】
本実施形態の電磁装置においては、Ｔ型鉄芯１２の脚片１２ａがコイル３を巻回する第１の鉄芯部１ａを構成し、Ｃ型鉄芯１３とＴ型鉄芯１２の脚片１２ａ以外の部分とで第１の鉄芯部１ａおよびコイル３を囲み第１の鉄芯部１ａに磁気的に結合した第２の鉄芯部１ｂを構成している。すなわち、第１の鉄芯部１ａはＩ字状に形成され、第２の鉄芯部１ｂはロ字状に形成されている。なお、図１（ａ），（ｂ）中の一点鎖線は鉄芯１に形成される磁路を示している。
【００１８】
ところで、図１０に示した従来構成においては第１の鉄芯部１ａ’にギャップ２’を設けていたが、本実施形態では、Ｃ型鉄芯１３に、Ｔ型鉄芯１２の脚片１２ａの先端面との対向面と厚み方向（図１（ａ）の紙面に直交する方向）における両面とが開放されていてＴ型鉄芯１２の脚片１２ａの先端部が挿入され且つ当該先端部との間にギャップ２を形成する凹所１３ｃを設けてある。ここに、第２の鉄芯部１ｂの周方向において、図２（ａ）に示すようにＣ型鉄芯１３の凹所１３ｃの開口幅をＨ１、図２（ｂ）に示すようにＴ型鉄芯１２の脚片１２ａの幅をＨ２とすれば、凹所１３ｃの開口幅Ｈ１を脚片１２ａの幅Ｈ２よりも大きく設定してあり（つまり、Ｈ１＞Ｈ２）、ギャップ２は、Ｃ型鉄芯１３の凹所１３ｃの内底面とＴ型鉄芯１２の脚片１２ａの先端面との間のみでなく、Ｃ型鉄芯１３の凹所１３ｃの両内側面とＴ型鉄芯１２の脚片１２ａの先端部の両側面との間にも形成されている。
【００１９】
また、本実施形態の電磁装置は、図３に示すように一面が開口した直方体状のケース４に収納した状態でディスペンサ６から振動抑制剤としての絶縁性樹脂６ｂを押し出して注入することでギャップ２へ絶縁性樹脂６ｂを充填している。なお、本実施形態の電磁装置は、光源である放電灯を点灯させる安定器として用いられるものであり、図示しない照明器具の器具本体に保持される。
【００２０】
しかして、本実施形態の電磁装置では、鉄芯１においてコイル３が巻回される部分を避けてギャップ２を設けるようにしてあるので、Ｔ型鉄芯１２の脚片１２ａにコイル３を巻回してからＴ型鉄芯１２とＣ型鉄芯１３とを結合した後でも（つまり、鉄芯１とコイル３とを組み合わせた後でも）、鉄芯１の一部に設けたギャップ２へ絶縁性樹脂６ｂを容易に充填することができ、通電時におけるギャップ２近傍での鉄芯１の振動を抑制することができて低騒音化を図ることができる。また、ギャップ２へ絶縁性樹脂６ｂを充填することでギャップ長が変化しにくくなり電磁装置自体のインピーダンスの変動を抑制することができる。したがって、上述の照明器具では、放電灯を安定して点灯させることができるとともに、コイル３へ通電した点灯時の低騒音化を図ることができる。
【００２１】
（実施形態２）
本実施形態の電磁装置は、図４（ａ）に示すようにＥ型鉄芯１１とＩ型鉄芯１４とを組み合わせて日字状の鉄芯１を構成し、図４（ｂ）に示すように鉄芯１の一部にコイル３を巻回してある。ここにおいて、鉄芯１の一部には電磁装置自体のインピーダンスを調整するためのギャップ２（図４（ａ）参照）が設けられている。
【００２２】
本実施形態の電磁装置においては、Ｅ型鉄芯１１の中央片１１ａがコイル３を巻回する第１の鉄芯部１ａを構成し、Ｅ型鉄芯１１の中央片１１ａ以外の部分とＩ型鉄芯１４とで第１の鉄芯部１ａおよびコイル３を囲み第１の鉄芯部１ａに磁気的に結合した第２の鉄芯部１ｂを構成している。すなわち、第１の鉄芯部１ａはＩ字状に形成され、第２の鉄芯部１ｂはロ字状に形成されている。なお、図４（ａ），（ｂ）中の一点鎖線は鉄芯１に形成される磁路を示している。
【００２３】
ところで、図１０に示した従来構成においては第１の鉄芯部１ａ’にギャップ２’を設けていたが、本実施形態では、Ｅ型鉄芯１１の中央片１１ａの長さ寸法を両側片１１ｂ，１１ｂの長さ寸法よりも短く設定してあり、Ｉ型鉄芯１４に、Ｅ型鉄芯１１の中央片１１ａの先端面との対向面と厚み方向（図４（ａ）の紙面に直交する方向）における両面とが開放されていてＥ型鉄芯１１の中央片１１ａの先端部が挿入され且つ当該先端部との間にギャップ２を形成する凹所１４ｃを設けてある。ここに、第２の鉄芯部１ｂの周方向において、図５（ａ）に示すようにＩ型鉄芯１４の凹所１４ｃの開口幅をＨ３、図５（ｂ）に示すようにＥ型鉄芯１１の中央片１１ａの幅をＨ４とすれば、凹所１４ｃの開口幅Ｈ３を中央片１２ａの幅Ｈ４よりも大きく設定してあり（つまり、Ｈ３＞Ｈ４）、ギャップ２は、Ｉ型鉄芯１４の凹所１４ｃの内底面とＥ型鉄芯１１の中央片１１ａの先端面との間のみでなく、Ｉ型鉄芯１４の凹所１４ｃの両内側面とＥ型鉄芯１１の中央片１１ａの先端部の両側面との間にも形成されている。なお、本実施形態における鉄芯１は、Ｅ型鉄芯１１の両側片１１ｂ，１１ｂ間の寸法がＩ型鉄芯１４の長手方向の寸法に略等しくなるように設定されており、Ｅ型鉄芯１１の両側片１１ｂ，１１ｂの先端部間にＩ型鉄芯１４を介在させた形で鉄芯１が構成されている。
【００２４】
また、本実施形態の電磁装置は、実施形態１と同様にケース４（図３参照）に収納した状態で振動抑制剤としての絶縁性樹脂を注入して絶縁性樹脂をギャップ２へ充填している。なお、本実施形態の電磁装置は、実施形態１と同様に光源である放電灯を点灯させる安定器として用いられるものであり、図示しない照明器具の器具本体に保持される。
【００２５】
しかして、本実施形態の電磁装置では、鉄芯１においてコイル３が巻回される部分を避けてギャップ２を設けるようにしてあるので、Ｅ型鉄芯１１の中央片１１ａにコイル３を巻回してからＥ型鉄芯１１とＩ型鉄芯１４とを結合した後でも（つまり、鉄芯１とコイル３とを組み合わせた後でも）、鉄芯１の一部に設けたギャップ２へ絶縁性樹脂を容易に充填することができ、通電時におけるギャップ２近傍での鉄芯１の振動を抑制することができて低騒音化を図ることができる。また、ギャップ２へ絶縁性樹脂を充填することでギャップ長が変化しにくくなり電磁装置自体のインピーダンスの変動を抑制することができる。
【００２６】
（実施形態３）
本実施形態の電磁装置は、図６（ａ）に示すようにロ型鉄芯１５とＩ型鉄芯１６とを組み合わせて日字状の鉄芯１を構成し、図６（ｂ）に示すように鉄芯１の一部にコイル３を巻回してある。ここにおいて、鉄芯１の一部には電磁装置自体のインピーダンスを調整するためのギャップ２（図６（ａ）参照）が設けられている。
【００２７】
本実施形態の電磁装置においては、Ｉ型鉄芯１６がコイル３を巻回する第１の鉄芯部１ａを構成し、ロ型鉄芯１５が第１の鉄芯部１ａおよびコイル３を囲み第１の鉄芯部１ａに磁気的に結合した第２の鉄芯部１ｂを構成している。すなわち、第１の鉄芯部１ａはＩ字状に形成され、第２の鉄芯部１ｂはロ字状に形成されている。なお、図６（ａ）中の一点鎖線は鉄芯１に形成される磁路を示している。
【００２８】
ところで、図１０に示した従来構成においては第１の鉄芯部１ａ’にギャップ２’を設けていたが、本実施形態では、Ｉ型鉄芯１６の長手方向の寸法を、当該長手方向に沿ったロ型鉄芯１５の開口幅よりも長く設定してあり、ロ型鉄芯１５に、Ｉ型鉄芯１６の長手方向の一端面（図６（ａ）における下端面）との対向面と厚み方向（図６（ａ）の紙面に直交する方向）における両面とが開放されていてＩ型鉄芯１６の一端部が挿入され且つ当該一端部との間にギャップ２を形成する凹所１５ｃを設けてある。ここに、第２の鉄芯部１ｂの周方向において、図７（ａ）に示すようにロ型鉄芯１５の凹所１５ｃの開口幅をＨ５、図７（ｂ）に示すようにＩ型鉄芯１６の短手方向の幅をＨ６とすれば、凹所１５ｃの開口幅Ｈ５をＩ型鉄芯１６の短手方向の幅Ｈ６よりも大きく設定してあり（つまり、Ｈ５＞Ｈ６）、ギャップ２は、ロ型鉄芯１５の凹所１５ｃの内底面とＩ型鉄芯１６の上記一端面との間のみでなく、ロ型鉄芯１５の凹所１５ｃの両内側面とＩ型鉄芯１６の上記一端部の両側面との間にも形成されている。
【００２９】
また、本実施形態の電磁装置は、実施形態１と同様にケース４（図３参照）に収納した状態で振動抑制剤としての絶縁性樹脂を注入し絶縁性樹脂をギャップ２へ充填している。なお、本実施形態の電磁装置は、実施形態１と同様に光源である放電灯を点灯させる安定器として用いられるものであり、図示しない照明器具の器具本体に保持される。
【００３０】
しかして、本実施形態の電磁装置では、鉄芯１においてコイル３が巻回される部分を避けてギャップ２を設けるようにしてあるので、Ｉ型鉄芯１６にコイル３を巻回してからＩ型鉄芯１６とロ型鉄芯１５とを結合した後でも（つまり、鉄芯１とコイル３とを組み合わせた後でも）、鉄芯１の一部に設けたギャップ２へ絶縁性樹脂を容易に充填することができ、通電時におけるギャップ２近傍での鉄芯１の振動を抑制することができて低騒音化を図ることができる。また、ギャップ２へ絶縁性樹脂を充填することでギャップ長が変化しにくくなり電磁装置自体のインピーダンスの変動を抑制することができる。
【００３１】
（実施形態４）
本実施形態の電磁装置は、図８（ａ）に示すようにＥ型鉄芯１１とＩ型鉄芯１７とを組み合わせて日字状の鉄芯１を構成し、図８（ｂ）に示すように鉄芯１の一部にコイル３を巻回してある。ここにおいて、鉄芯１の一部には電磁装置自体のインピーダンスを調整するためのギャップ２（図８（ａ）参照）が設けられている。
【００３２】
本実施形態の電磁装置においては、Ｅ型鉄芯１１の中央片１１ａがコイル３を巻回する第１の鉄芯部１ａを構成し、Ｅ型鉄芯１１の中央片１１ａ以外の部分とＩ型鉄芯１７とで第１の鉄芯部１ａおよびコイル３を囲み第１の鉄芯部１ａに磁気的に結合した第２の鉄芯部１ｂを構成している。すなわち、第１の鉄芯部１ａはＩ字状に形成され、第２の鉄芯部１ｂはロ字状に形成されている。なお、図８（ａ），（ｂ）中の一点鎖線は鉄芯１に形成される磁路を示している。
【００３３】
ところで、図１０に示した従来構成においては第１の鉄芯部１ａ’にギャップ２’を設けていたが、本実施形態では、Ｅ型鉄芯１１の両側片１１ｂ，１１ｂの長さ寸法Ｈ８（図９参照）を中央片１１ａの長さ寸法Ｈ７（図９参照）よりも短く設定してあり（つまり、Ｈ７＞Ｈ８）、Ｅ型鉄芯１１の両側片１１ｂ，１１ｂの各先端面とＩ型鉄芯１７の長手方向の両端部それぞれとの間にそれぞれギャップ２，２が設けられている。
【００３４】
また、本実施形態の電磁装置は、実施形態１と同様にケース４（図３参照）に収納した状態で振動抑制剤としての絶縁性樹脂を注入し絶縁性樹脂をギャップ２へ充填している。なお、本実施形態の電磁装置は、実施形態１と同様に光源である放電灯を点灯させる安定器として用いられるものであり、図示しない照明器具の器具本体に保持される。
【００３５】
しかして、本実施形態の電磁装置では、鉄芯１においてコイル３が巻回される部分を避けてギャップ２を設けるようにしてあるので、Ｅ型鉄芯１１の中央片１１ａにコイル３を巻回してからＥ型鉄芯１１とＩ型鉄芯１７とを結合した後でも（つまり、鉄芯１とコイル３とを組み合わせた後でも）、鉄芯１の一部に設けたギャップ２へ絶縁性樹脂６ｂを容易に充填することができ、ギャップ２近傍での鉄芯１の振動を抑制することができて低騒音化を図ることができる。また、ギャップ２へ絶縁性樹脂を充填することでギャップ長が変化しにくくなり電磁装置自体のインピーダンスの変動を抑制することができる。
【００３６】
【発明の効果】
請求項１ないし請求項５の発明は、コイルが巻回された第１の鉄芯部と、第１の鉄芯部およびコイルを囲み第１の鉄芯部に磁気的に結合した第２の鉄芯部とで鉄芯を構成し、鉄芯の一部にインピーダンスを調整するためのギャップを設け当該ギャップに絶縁性樹脂を充填するようにした電磁装置であって、鉄芯においてコイルが巻回される部分を避けるようにギャップを設けてなるものであり、鉄芯とコイルとを組み合わせた後でも、鉄芯の一部に設けたギャップへ絶縁性樹脂を容易に充填することができ、ギャップ近傍での鉄芯の振動を抑制することができて低騒音化を図ることができるという効果がある。また、ギャップへ絶縁性樹脂を充填することでギャップ長が変化しにくくなり電磁装置自体のインピーダンスの変動を抑制することができるという効果がある。
【００３７】
請求項６の発明は、器具本体に保持されて光源を点灯させる安定器として請求項１ないし請求項５のいずれか１項に記載の電磁装置を備えてなるものであり、光源を安定して点灯させることができるとともに、低騒音化を図ることができる。
【図面の簡単な説明】
【図１】実施形態１を示し、（ａ）は鉄芯の平面図、（ｂ）は鉄芯とコイルとを組み合わせた状態の平面図である。
【図２】同上の要部を示し、（ａ）はＣ型鉄芯の平面図、（ｂ）はＴ型鉄芯の平面図である。
【図３】同上の製造方法の説明図である。
【図４】実施形態２を示し、（ａ）は鉄芯の平面図、（ｂ）は鉄芯とコイルとを組み合わせた状態の平面図である。
【図５】同上の要部を示し、（ａ）はＩ型鉄芯の平面図、（ｂ）はＥ型鉄芯の平面図である。
【図６】実施形態３を示し、（ａ）は鉄芯の平面図、（ｂ）は鉄芯とコイルとを組み合わせた状態の平面図である。
【図７】同上の要部を示し、（ａ）はロ型鉄芯の平面図、（ｂ）はＩ型鉄芯の平面図である。
【図８】実施形態４を示し、（ａ）は鉄芯の平面図、（ｂ）は鉄芯とコイルとを組み合わせた状態の平面図である。
【図９】同上に用いるＥ型鉄芯の平面図である。
【図１０】従来例を示し、（ａ）は鉄芯の平面図、（ｂ）は鉄芯とコイルとを組み合わせた状態の平面図である。
【符号の説明】
１  鉄芯
１ａ  第１の鉄芯部
１ｂ  第２の鉄芯部
２  ギャップ
３  コイル
４  ケース
６  ディスペンサ
６ｂ  絶縁性樹脂
１１  Ｅ型鉄芯
１１ａ  中央片
１１ｂ，１１ｂ  側片
１２  Ｔ型鉄芯
１２ａ  脚片
１３  Ｃ型鉄芯
１３ｃ  凹所
１４  Ｉ型鉄芯
１４ｃ  凹所
１５  ロ型鉄芯
１５ｃ  凹所
１６  Ｉ型鉄芯
１７  Ｉ型鉄芯
【図１】
2004273745.tif 000003
【図２】
2004273745.tif 000004
【図３】
2004273745.tif 000005
【図４】
2004273745.tif 000006
【図５】
2004273745.tif 000007
【図６】
2004273745.tif 000008
【図７】
2004273745.tif 000009
【図８】
2004273745.tif 000010
【図９】
2004273745.tif 000011
【図１０】
2004273745.tif 000012